(57)【要約】【課題】フレキシブルケーブルの端子が腐食しないように保護し、コネクタへの接続の際の作業性を向上させ、コネクタへ接続した後に半抜け状態になってしまうのを防止できるようにする。【解決手段】フレキシブルケーブル１を、フレキシブルベース材２と、フレキシブルベース材の表面上に設けられた導体３と、導体の端部３Ａが露出するようにフレキシブルベース材及び導体を覆うカバー層４と、導体の露出している端部を覆う保護フィルム６と、カバー層の表面に貼り付けられ、かつ、保護フィルムの表面に剥離自在に貼り付けられており、コネクタに固定するための固定フィルム７とを備えるものとする。【選択図】図１
2015082422.tif 000002
【特許請求の範囲】
【請求項１】
フレキシブルベース材と、
前記フレキシブルベース材の表面上に設けられた導体と、
前記導体の端部が露出するように前記フレキシブルベース材及び前記導体を覆うカバー層と、
前記導体の露出している端部を覆う保護フィルムと、
前記カバー層の表面に貼り付けられ、かつ、前記保護フィルムの表面に剥離自在に貼り付けられており、コネクタに固定するための固定フィルムとを備えることを特徴とするフレキシブルケーブル。
【請求項２】
前記保護フィルムが、前記フレキシブルベース材の裏面の側まで延びており、前記フレキシブルベース材の裏面の側に剥離自在に貼り付けられているか、前記保護フィルムが、前記フレキシブルベース材の表面の側に剥離自在に貼り付けられているか、又は、前記固定フィルムが、前記フレキシブルベース材の裏面の側まで延びており、前記フレキシブルベース材の裏面の側に剥離自在に貼り付けられていることを特徴とする、請求項１に記載のフレキシブルケーブル。
【請求項３】
前記保護フィルムは、前記フレキシブルベース材の裏面の側まで延びており、前記フレキシブルベース材の裏面の側に剥離自在に貼り付けられていることを特徴とする、請求項１に記載のフレキシブルケーブル。
【請求項４】
前記固定フィルムは、第１粘着剤によって前記保護フィルムの表面に貼り付けられており、
前記保護フィルムは、前記導体の側の反対側の表面に離型処理が施されており、前記第１粘着剤よりも低い粘着力の第２粘着剤によって前記フレキシブルベース材の裏面の側に貼り付けられていることを特徴とする、請求項３に記載のフレキシブルケーブル。
【請求項５】
前記フレキシブルベース材の端部の裏面に設けられた補強板を備え、
前記保護フィルムは、前記フレキシブルベース材の裏面の側まで延びており、前記補強板の表面に剥離自在に貼り付けられていることを特徴とする、請求項１に記載のフレキシブルケーブル。
【請求項６】
前記固定フィルムは、第１粘着剤によって前記保護フィルムの表面に貼り付けられており、
前記保護フィルムは、前記導体の側の反対側の表面に離型処理が施されており、前記第１粘着剤よりも低い粘着力の第２粘着剤によって前記補強板の表面に貼り付けられていることを特徴とする、請求項５に記載のフレキシブルケーブル。
【請求項７】
前記固定フィルムは、前記フレキシブルベース材の裏面の側まで延びており、前記フレキシブルベース材の裏面の側に剥離自在に貼り付けられていることを特徴とする、請求項１に記載のフレキシブルケーブル。
【請求項８】
前記保護フィルムは、前記導体の側の反対側の表面に離型処理が施されており、
前記フレキシブルベース材の裏面の側に離型処理が施されており、
前記固定フィルムは、粘着剤によって前記保護フィルムの表面及び前記フレキシブルベース材の裏面の側に貼り付けられていることを特徴とする、請求項７に記載のフレキシブルケーブル。
【請求項９】
前記フレキシブルベース材の端部の裏面に設けられた補強板を備え、
前記固定フィルムは、前記フレキシブルベース材の裏面の側まで延びており、前記補強板の表面に剥離自在に貼り付けられていることを特徴とする、請求項１に記載のフレキシブルケーブル。
【請求項１０】
前記保護フィルムは、前記導体の側の反対側の表面に離型処理が施されており、
前記補強板の表面に離型処理が施されており、
前記固定フィルムは、粘着剤によって前記保護フィルムの表面及び前記補強板の表面に貼り付けられていることを特徴とする、請求項９に記載のフレキシブルケーブル。
【請求項１１】
請求項１〜１０のいずれか１項に記載のフレキシブルケーブルをコネクタに接続する方法であって、
前記保護フィルム及び前記固定フィルムを起こし、
起こされた前記保護フィルム及び前記固定フィルムをつまみとして用いて、露出した前記導体の端部を前記コネクタに挿入して、前記フレキシブルケーブルを前記コネクタに接続し、
前記固定フィルムから前記保護フィルムを剥離し、
前記固定フィルムを前記コネクタに貼り付けて、前記フレキシブルケーブルを前記コネクタに固定することを特徴とするフレキシブルケーブルの接続方法。
【発明の詳細な説明】
【技術分野】
【０００１】
本発明は、フレキシブルケーブル及びその接続方法に関する。
【背景技術】
【０００２】
従来、電子機器ではフレキシブルケーブルが用いられている。例えば、電子機器がその内部に一のプリント配線板及び他のプリント配線板を備える場合、これらを接続するためにフレキシブルケーブルが用いられている。つまり、一のプリント配線板及び他のプリント配線板のそれぞれに設けられたコネクタにフレキシブルケーブルを接続することで、一のプリント配線板と他のプリント配線板とをフレキシブルケーブルによって接続している。
【先行技術文献】
【特許文献】
【０００３】
【特許文献１】特開２００３−１３３６７６号公報
【特許文献２】特開２００３−３４７７１２号公報
【発明の概要】
【発明が解決しようとする課題】
【０００４】
ところで、フレキシブルケーブルは、一般に、コネクタとの接点となる導体の端部（端子）が露出した状態となっている。このため、保管時の環境条件を管理した上で保管しておくことになる。しかしながら、保管環境によっては、例えば空気中の成分（例えば塩素など）によって、この端子が酸化し、腐食してしまうことがある。そして、端子が腐食しているフレキシブルケーブルをそのまま用いると、接触不良等を起こすおそれがある。
【０００５】
また、フレキシブルケーブルをコネクタに接続する際には、フレキシブルケーブルの端子、即ち、導体が露出している端部をコネクタに押し込まなくてはならないが、この接続の際の作業性を向上させることが好ましい。
また、フレキシブルケーブルをコネクタに接続した後に、例えば横方向に力が加わるなどして、フレキシブルケーブルが半抜け状態となってしまい、接触不良等が起こり、電子機器の動作に影響を与え、電子機器の安定動作が妨げられることがある。
【０００６】
そこで、フレキシブルケーブルの端子が腐食しないように保護し、コネクタへの接続の際の作業性を向上させ、コネクタへ接続した後に半抜け状態になってしまうのを防止できるようにしたい。
【課題を解決するための手段】
【０００７】
本フレキシブルケーブルは、フレキシブルベース材と、フレキシブルベース材の表面上に設けられた導体と、導体の端部が露出するようにフレキシブルベース材及び導体を覆うカバー層と、導体の露出している端部を覆う保護フィルムと、カバー層の表面に貼り付けられ、かつ、保護フィルムの表面に剥離自在に貼り付けられており、コネクタに固定するための固定フィルムとを備えることを要件とする。
【０００８】
本フレキシブルケーブルの接続方法は、上記のフレキシブルケーブルをコネクタに接続する方法であって、保護フィルム及び固定フィルムを起こし、起こされた保護フィルム及び固定フィルムをつまみとして用いて、露出した導体の端部をコネクタに挿入して、フレキシブルケーブルをコネクタに接続し、固定フィルムから保護フィルムを剥離し、固定フィルムをコネクタに貼り付けて、フレキシブルケーブルをコネクタに固定することを要件とする。
【発明の効果】
【０００９】
したがって、本フレキシブルケーブル及びその接続方法によれば、フレキシブルケーブルの端子が腐食しないように保護し、コネクタへの接続の際の作業性を向上させ、コネクタへ接続した後に半抜け状態になってしまうのを防止できるという利点がある。
【図面の簡単な説明】
【００１０】
【図１】（Ａ）、（Ｂ）は、本実施形態にかかるフレキシブルケーブルの構成を示す模式図であって、（Ａ）は（Ｂ）中、丸で囲んだ部分を拡大して示す断面図（側断面図）であり、（Ｂ）は一部破断した側面図である。
【図２】（Ａ）〜（Ｃ）は、本実施形態にかかるフレキシブルケーブルの構成を示す模式図であって、（Ａ）は全体を示す斜視図であり、（Ｂ）は端部を示す平面図であり、（Ｃ）は一部破断した端面図である。
【図３】（Ａ）、（Ｂ）は、本実施形態にかかるフレキシブルケーブルの接続方法を説明するための模式図であって、（Ａ）は斜視図であり、（Ｂ）は断面図（側断面図）である。
【図４】（Ａ）、（Ｂ）は、本実施形態にかかるフレキシブルケーブルの接続方法を説明するための模式図であって、（Ａ）は斜視図であり、（Ｂ）は断面図（側断面図）である。
【図５】本実施形態にかかるフレキシブルケーブルとコネクタとの接続について説明するための模式図である。
【図６】（Ａ）〜（Ｄ）は、本実施形態にかかるフレキシブルケーブルの基本構成を示す模式図であって、（Ａ）は全体を示す斜視図であり、（Ｂ）は端部を示す平面図であり、（Ｃ）は一部破断した端面図であり、（Ｄ）は一部破断した側面図である。
【図７】本発明の課題を説明するための模式的斜視図である。
【図８】本発明の課題を説明するための模式的斜視図である。
【図９】本実施形態の第１変形例にかかるフレキシブルケーブルの構成を示す模式的断面図（側断面図）である。
【図１０】本実施形態の第２変形例にかかるフレキシブルケーブルの構成を示す模式的断面図（側断面図）である。
【発明を実施するための形態】
【００１１】
以下、図面により、本発明の実施の形態にかかるフレキシブルケーブル及びその接続方法について、図１〜図８を参照しながら説明する。
本実施形態にかかるフレキシブルケーブルは、電子機器において用いられるものである。つまり、本フレキシブルケーブルは、電子機器の本体内部に備えられるものである。
例えば図３に示すように、本フレキシブルケーブル１は、電子機器がその内部に一のプリント配線板５０及び他のプリント配線板５１を備える場合、これらを接続するために用いられる接続ケーブル（接続用ケーブル；電子機器用ケーブル）である。この場合、フレキシブルケーブル１の一方の端部（端子；接続端子）が、一のプリント配線板５０に設けられたコネクタ５０Ａ（接続用コネクタ）に接続され、フレキシブルケーブル１の他方の端部（端子；接続端子）が、他のプリント配線板５１に設けられたコネクタ５１Ａに接続されて、一のプリント配線板５０と他のプリント配線板５１とがフレキシブルケーブル１によって接続されることになる。なお、フレキシブルケーブル１の両方の端部は、同一の構成になっているため、一方の端部を例に挙げて説明する場合がある。
【００１２】
本フレキシブルケーブルは、その基本構成として、図１、図６に示すように、フレキシブルベース材２と、フレキシブルベース材２の表面上に設けられた導体３と、導体３の端部３Ａ（接点；端子）が露出するようにフレキシブルベース材２及び導体３を覆うカバー層４とを備える。
ここで、フレキシブルベース材２は、絶縁ベース材であって、例えばポリエチレンテレフタレート（ＰＥＴ）（ＰＥＴ樹脂）からなるＰＥＴフィルムである。なお、フレキシブルベース材２を、ベースフィルム、ベースシート又は単にベースともいう。
【００１３】
導体３は、例えば金、銀、銅などの金属からなり、フレキシブルベース材２の一方の端面から他方の端面へ向けて延びている。この導体３は、フレキシブルベース材２の表面上に、例えばめっきなどによってパターニングされて設けられたものである。
カバー層４は、絶縁カバー層であって、例えばポリエステル（ポリエステル樹脂）からなるポリエステルフィルム（カバーフィルム）を接着剤によって接着して形成される。ここでは、カバー層４は、フレキシブルベース材２の表面上の両端部に設けられている導体３Ａが露出し、かつ、中央部のフレキシブルベース材２及び導体３が覆われるように、例えばポリエステルフィルムを接着剤によって接着して形成される。この場合、カバー層４は、カバーフィルム及び接着剤によって構成されることになる。なお、接着剤付きのカバーフィルム（カバーテープ）を接着しても良い。また、樹脂を塗布し、硬化させて、カバー層４を形成しても良い。また、印刷や電着によって形成された樹脂膜を、カバー層４としても良い。なお、カバーフィルムをカバーシートともいう。
【００１４】
また、本実施形態では、フレキシブルベース材２の端部の裏面に補強板５が設けられている。ここで、補強板５は、フレキシブルベース材２を補強する補強材であって、例えばポリエステルからなるポリエステルフィルムである。なお、補強板５は設けなくても良い。
ところで、このようなフレキシブルケーブル１では、コネクタ５０Ａ，５１Ａとの接点となる導体３の端部３Ａ（端子）が露出した状態となっている。このため、保管環境によっては、例えば空気中の成分（例えば塩素など）によって、この端子３Ａが酸化し、腐食してしまうことがあり、接触不良等を起こすおそれがある。
【００１５】
また、フレキシブルケーブル１をコネクタ５０Ａ（５１Ａ）に接続する際には、フレキシブルケーブル１の端子３Ａ、即ち、導体３が露出している端部をコネクタ５０Ａ（５１Ａ）に押し込まなくてはならない。このため、例えば図７に示すように、フレキシブルケーブル１を折り曲げ、これを持ち手として、フレキシブルケーブル１の端子３Ａをコネクタ５０Ａに押し込むことになるなど、接続の際の作業性が良くない。このように、フレキシブルケーブル１は、構造的に安価な分、接続作業性を工夫する必要がある。
【００１６】
また、フレキシブルケーブル１をコネクタ５０Ａ（５１Ａ）に接続した後に、例えば図８に示すように、横方向に力が加わるなどして、フレキシブルケーブル１が半抜け状態となってしまい、接触不良等が起こり、電子機器の動作に影響を与え、電子機器の安定動作が妨げられることがある。これを防ぐためには、接続後にフレキシブルケーブル１が半抜け状態になっていないか確認したり、フレキシブルケーブル１が抜けないように別途用意したテープでコネクタ５０Ａに貼り付けたりすることが必要になる。
【００１７】
そこで、本実施形態では、フレキシブルケーブル１を、上述の基本構成に加え、さらに、図１、図２に示すように、保護フィルム６と、固定フィルム７とを備えるものとしている。つまり、上述の基本構成を備えるフレキシブルケーブル１に、保護フィルム６及び固定フィルム７が取り付けられている。このように、フレキシブルケーブル１自体が、予め、保護フィルム６と固定フィルム７とを備えるため、後述するように、保護フィルム６による端子の酸化防止（腐食防止）、固定フィルム７による接続後の半抜け防止、保護フィルム６及び固定フィルム７をつまみ（持ち手）として用いることによる接続の際の作業性の向上を実現することが可能となる。なお、図２（Ｂ）では分かり易くするために各部分に他の図面と異なる模様を付している。
【００１８】
ここで、保護フィルム６は、導体３の露出している端部３Ａ（端子）を覆っている。つまり、保護フィルム６は、上述のような基本構成を有するフレキシブルケーブル１の端部（即ち、フレキシブルベース材２の端部）に露出している導体３Ａを覆って保護するものである。なお、保護フィルム６は、フレキシブルベース材２の端部も覆うことになる。つまり、保護フィルム６は、コネクタ５０Ａ，５１Ａに挿入される端子面（コネクタ接続端子面；接続端子表面）が、保護フィルム６によって外気から遮断されて保護されるようになっている。これにより、コネクタ５０Ａ，５１Ａとの接点となる導体３の端部３Ａ（端子）が酸化し、腐食してしまうのを防止することができる。つまり、本フレキシブルケーブル１は、端子保護構造（酸化防止構造；腐食防止構造）を有する。例えば、保護フィルム６は、ポリエステルからなるポリエステルフィルムである。
【００１９】
固定フィルム７は、コネクタ５０Ａ，５１Ａに固定するためのものであって、カバー層４の表面に貼り付けられ、かつ、保護フィルム６の表面に剥離自在に貼り付けられている。例えば、固定フィルム７は、ポリエステルからなるポリエステルフィルムである。そして、後述するように、固定フィルム７から保護フィルム６を剥離し、固定フィルム７をコネクタ５０Ａ，５１Ａに貼り付けることで、フレキシブルケーブル１をコネクタ５０Ａ，５１Ａに固定することができる。これにより、フレキシブルケーブル１をコネクタ５０Ａ，５１Ａに接続した後に、フレキシブルケーブル１が半抜け状態となってしまうのを防止することができる。つまり、本フレキシブルケーブル１は、半抜け防止構造を有する。さらに、後述するように、フレキシブルケーブル１をコネクタ５０Ａ，５１Ａに接続する際に、保護フィルム６及び固定フィルム７を起こしてつまみ（操作片）として用いることができるため、接続の際の作業性を向上させることができる。つまり、本フレキシブルケーブル１は、つまみ構造を有する。
【００２０】
本実施形態では、保護フィルム６は、フレキシブルベース材２の裏面（図１中、下側の面）の側まで延びており、フレキシブルベース材２の裏面の側に剥離自在に貼り付けられている。特に、本実施形態では、フレキシブルベース材２の端部の裏面に補強板５が設けられているため、保護フィルム６は、補強板５の表面に剥離自在に貼り付けられている。このように、保護フィルム６をフレキシブルベース材２の裏面の側まで延ばして貼り付けることで、保護フィルム６が剥がれてしまうのを確実に防止することができる。なお、ここでは、保護フィルム６は、導体３の露出している端部３Ａ（端子）を覆っているだけで、フレキシブルベース材２の表面（図１中、上側の面）の側には貼り付けられていない。
【００２１】
具体的には、保護フィルム６は、導体３の側の反対側の表面６Ａに、例えば離型剤を塗布するなどして、離型処理が施されている。そして、固定フィルム７は、第１粘着剤によって保護フィルム６の表面６Ａに貼り付けられている。ここで、第１粘着剤は、例えばアクリル系粘着剤である。このようにして、固定フィルム７は、保護フィルム６の表面６Ａに剥離自在に貼り付けられている。なお、第１粘着剤付きの固定フィルム（固定テープ）を貼り付けても良い。また、固定フィルム７を、半抜け防止フィルム、固定シート又は半抜け防止シートともいう。また、固定テープを半抜け防止テープともいう。また、このようなフレキシブルケーブル１を、固定テープ付きフレキシブルケーブルともいう。
【００２２】
また、保護フィルム６は、第１粘着剤よりも低い粘着力の第２粘着剤によって、フレキシブルベース材２の裏面の側、即ち、補強板５の表面（露出面；図１中、下側の面）に貼り付けられている。ここで、第２粘着剤は、低粘着タイプのアクリル系粘着剤である。このようにして、保護フィルム６は、フレキシブルベース材２の裏面の側、即ち、補強板５の表面に剥離自在に貼り付けられている。なお、第２粘着剤付きの保護フィルム（保護テープ）を貼り付けても良い。また、保護フィルム６を、接点保護フィルム、端子保護フィルム、保護シート、接点保護シート又は端子保護シートともいう。また、保護テープを接点保護テープ又は端子保護テープともいう。また、このようなフレキシブルケーブル１を、保護テープ付きフレキシブルケーブル、又は、固定テープ及び保護テープ付きフレキシブルケーブルともいう。
【００２３】
なお、保護フィルム６は、第２粘着剤によって、少なくとも、フレキシブルベース材２の裏面の側、即ち、補強板５の表面に貼り付けられていれば良い。例えば、フレキシブルベース材２の裏面の側、フレキシブルベース材２の端面の側及びフレキシブルベース材２の表面の側に、保護フィルム６が第２粘着剤によって貼り付けられていても良い。つまり、保護フィルム６の全面に第２粘着剤が付けられて、フレキシブルベース材２の表面及び端面、導体３Ａの表面及び端面、補強板５の端面及び表面に、即ち、上述の基本構成を有するフレキシブルケーブル１の端部の表面、端面及び裏面を覆うように、第２粘着剤によって保護フィルム６が貼り付けられていても良い。また、例えば、フレキシブルベース材２の裏面の側及びフレキシブルベース材２の端面の側に、保護フィルム６が第２粘着剤によって貼り付けられていても良い。つまり、保護フィルム６の一部に第２粘着剤が付けられて、フレキシブルベース材２の端面、導体３Ａの端面、補強板５の端面及び表面に、即ち、上述の基本構成を有するフレキシブルケーブル１の端部の端面及び裏面を覆うように、第２粘着剤によって保護フィルム６が貼り付けられていても良い。このように、保護フィルム６の全面が第２粘着剤によって貼り付けられていても良いし、保護フィルム６の一部（好ましくは導体３Ａが露出している面に対向する部分以外の部分）が第２粘着剤によって貼り付けられていても良い。
【００２４】
また、ここでは、固定フィルム７は、上述の基本構成を有するフレキシブルケーブル１の端部の上面を覆っている保護フィルム６の部分のみを覆うように設けているが、上述の基本構成を有するフレキシブルケーブル１の端面を覆っている保護フィルム６の部分まで覆われるように延ばしても良いし、上述の基本構成を有するフレキシブルケーブル１の端部の下面を覆っている保護フィルム６の部分まで覆われるように延ばしても良い。ここで、固定フィルム７をどこまで延ばすか、即ち、固定フィルム７をどの程度の長さとするかは、固定フィルム７をコネクタ５０Ａ，５１Ａに貼り付けてフレキシブルケーブル１をコネクタ５０Ａ，５１Ａに固定するのに必要な程度とすれば良い。
【００２５】
次に、本実施形態にかかるフレキシブルケーブル１の接続方法について、図３、図４を参照しながら説明する。
まず、図３（Ａ）、図３（Ｂ）に示すように、上述のように構成されるフレキシブルケーブル１の保護フィルム６及び固定フィルム７を起こす。本実施形態では、保護フィルム６はその先端部が第２粘着剤によって補強板５の表面に貼り付けられているため、保護フィルム６の先端部を補強板５の表面から剥離し、めくり上げて、フレキシブルベース材２に対して略垂直になるように、保護フィルム６を起こす。この場合、第１粘着剤によって保護フィルム６に貼り付けられている固定フィルム７も、保護フィルム６とともに、フレキシブルベース材２に対して略垂直になるように起こされることになる。ここでは、カバー層４はフレキシブルベース材２に固着されているため、保護フィルム６をフレキシブルベース材２に対して略垂直になるように起こすと、固定フィルム７はカバー層４の端面に対応する部分で折れ曲がって、フレキシブルベース材２に対して略垂直になるように起こされることになる。なお、保護フィルム６が補強板５の表面以外の部分にも第２粘着剤によって貼り付けられている場合には、その部分も剥離することになる。
【００２６】
次に、上述のようにして起こされた保護フィルム６及び固定フィルム７をつまみ（持ち手；操作片）として用いて、露出した導体３の端部３Ａをコネクタ５０Ａ（５１Ａ）に押し込むことによって、露出した導体３の端部３Ａをコネクタ５０Ａ（５１Ａ）に挿入して、フレキシブルケーブル１をコネクタ５０Ａ（５１Ａ）に接続する。
次に、固定フィルム７から保護フィルム６を剥離する。ここでは、保護フィルム６の表面に離型処理が施されているため、固定フィルム７に第１粘着剤によって貼り付けられている保護フィルム６を固定フィルム７から容易に剥離することができる。
【００２７】
そして、図４（Ａ）、図４（Ｂ）に示すように、固定フィルム７をコネクタ５０Ａ（５１Ａ）に貼り付けて、フレキシブルケーブル１をコネクタ５０Ａ（５１Ａ）に固定する。ここでは、固定フィルム７をコネクタ５０Ａ（５１Ａ）に被せるようにして、固定フィルム７に付いている第１粘着剤によって、固定フィルム７がコネクタ５０Ａ（５１Ａ）に貼り付けられる。
【００２８】
したがって、本実施形態にかかるフレキシブルケーブル１及びその接続方法によれば、フレキシブルケーブル１の端子３Ａが腐食しないように保護し、コネクタ５０Ａ、５１Ａへの接続の際の作業性を向上させ、コネクタ５０Ａ、５１Ａへ接続した後に半抜け状態になってしまうのを防止できるという利点がある。
つまり、フレキシブルケーブル１は、予め保護フィルム６及び固定フィルム７を備えるものとなり、その端子３Ａが保護フィルム６で覆われて保護され、空気中の成分との接触が遮断されるため、端子３Ａが酸化し、腐食してしまうのを防止することができ、さらには、接触不良等が起きるのを防止することができる。
【００２９】
また、フレキシブルケーブル１をコネクタ５０Ａ、５１Ａに接続する際に、保護フィルム６及び固定フィルム７を起こして、これをつまみとして、フレキシブルケーブル１の端子３Ａをコネクタ５０Ａ、５１Ａに押し込むことができるため、接続の際の作業性を向上させることができる。
さらに、フレキシブルケーブル１をコネクタ５０Ａ、５１Ａに接続した後に、保護フィルム６を剥がして、固定フィルム７をコネクタ５０Ａ、５１Ａに貼り付けてフレキシブルケーブル１をコネクタ５０Ａ、５１Ａに固定することができるため、フレキシブルケーブル１が半抜け状態となってしまうのを防止することができ、さらには、接触不良等が起こり、電子機器の動作に影響を与え、電子機器の安定動作が妨げられるのを防止することができる。
【００３０】
なお、本発明は、上述した実施形態に記載した構成に限定されるものではなく、本発明の趣旨を逸脱しない範囲で種々変形することが可能である。
例えば、上述の実施形態では、保護フィルム６が、フレキシブルベース材２の裏面の側まで延びており、フレキシブルベース材２の裏面の側に剥離自在に貼り付けられているが、これに限られるものではない。そして、例えば、上述の実施形態では、固定フィルム７は、第１粘着剤によって保護フィルム６の表面に貼り付けられており、保護フィルム６は、導体の側の反対側の表面に離型処理が施されており、第１粘着剤よりも低い粘着力の第２粘着剤によってフレキシブルベース材２の裏面の側に貼り付けられているが、これに限られるものではない。
【００３１】
例えば、図９に示すように、保護フィルム６は、導体３の露出している端部３Ａ（端子）を覆っており、フレキシブルベース材２の表面の側に剥離自在に貼り付けられていても良い。そして、例えば、固定フィルム７は、第１粘着剤によって保護フィルム６の表面に貼り付けられており、保護フィルム６は、導体３（３Ａ）の側の反対側の表面６Ａに離型処理が施されており、第１粘着剤よりも低い粘着力の第２粘着剤によってフレキシブルベース材２の表面の側に貼り付けられていても良い。なお、これを第１変形例という。
【００３２】
また、例えば、図１０に示すように、固定フィルム７は、フレキシブルベース材２の裏面の側まで延びており、フレキシブルベース材２の裏面の側に剥離自在に貼り付けられていても良い。この場合、保護フィルム６は、導体３の露出している端部３Ａ（端子）を覆っていれば良い。そして、例えば、保護フィルム６は、導体３（３Ａ）の側の反対側の表面６Ａに離型処理が施されており、フレキシブルベース材２の裏面の側に離型処理が施されており、固定フィルム７は、粘着剤によって保護フィルム６の表面及びフレキシブルベース材２の裏面の側に貼り付けられていても良い。このように、固定フィルム７をフレキシブルベース材２の裏面の側まで延ばして貼り付けることで、固定フィルム７が剥がれてしまうのを確実に防止することができる。また、例えば、フレキシブルベース材２の端部の裏面に補強板５が設けられている場合には、固定フィルム７は、フレキシブルベース材２の裏面の側まで延びており、補強板５の表面に剥離自在に貼り付けられていても良い。そして、例えば、保護フィルム６は、導体３（３Ａ）の側の反対側の表面６Ａに離型処理が施されており、補強板５の表面５Ａに離型処理が施されており、固定フィルム７は、粘着剤によって保護フィルム６の表面及び補強板５の表面５Ａに貼り付けられていても良い。なお、固定フィルム７は、粘着剤によって保護フィルム６の表面及びフレキシブルベース材２の裏面の側（例えば補強板５の表面５Ａ）以外の領域にも貼り付けられていても良い。このように、固定フィルム７の全面が粘着剤によって貼り付けられていても良いし、固定フィルム７の一部が粘着剤によって貼り付けられていても良い。また、保護フィルム６は、固定フィルム７を貼り付けている粘着剤（第１粘着剤）よりも低い粘着力の粘着剤（第２粘着剤）によって、フレキシブルベース材２の表面の側に貼り付けられていても良い。なお、これを第２変形例という。
【００３３】
以下、上述の実施形態及び変形例に関し、更に、付記を開示する。
（付記１）
フレキシブルベース材と、
前記フレキシブルベース材の表面上に設けられた導体と、
前記導体の端部が露出するように前記フレキシブルベース材及び前記導体を覆うカバー層と、
前記導体の露出している端部を覆う保護フィルムと、
前記カバー層の表面に貼り付けられ、かつ、前記保護フィルムの表面に剥離自在に貼り付けられており、コネクタに固定するための固定フィルムとを備えることを特徴とするフレキシブルケーブル。
【００３４】
（付記２）
前記保護フィルムが、前記フレキシブルベース材の裏面の側まで延びており、前記フレキシブルベース材の裏面の側に剥離自在に貼り付けられているか、前記保護フィルムが、前記フレキシブルベース材の表面の側に剥離自在に貼り付けられているか、又は、前記固定フィルムが、前記フレキシブルベース材の裏面の側まで延びており、前記フレキシブルベース材の裏面の側に剥離自在に貼り付けられていることを特徴とする、付記１に記載のフレキシブルケーブル。
【００３５】
（付記３）
前記保護フィルムは、前記フレキシブルベース材の裏面の側まで延びており、前記フレキシブルベース材の裏面の側に剥離自在に貼り付けられていることを特徴とする、付記１に記載のフレキシブルケーブル。
（付記４）
前記固定フィルムは、第１粘着剤によって前記保護フィルムの表面に貼り付けられており、
前記保護フィルムは、前記導体の側の反対側の表面に離型処理が施されており、前記第１粘着剤よりも低い粘着力の第２粘着剤によって前記フレキシブルベース材の裏面の側に貼り付けられていることを特徴とする、付記３に記載のフレキシブルケーブル。
【００３６】
（付記５）
前記フレキシブルベース材の端部の裏面に設けられた補強板を備え、
前記保護フィルムは、前記フレキシブルベース材の裏面の側まで延びており、前記補強板の表面に剥離自在に貼り付けられていることを特徴とする、付記１に記載のフレキシブルケーブル。
【００３７】
（付記６）
前記固定フィルムは、第１粘着剤によって前記保護フィルムの表面に貼り付けられており、
前記保護フィルムは、前記導体の側の反対側の表面に離型処理が施されており、前記第１粘着剤よりも低い粘着力の第２粘着剤によって前記補強板の表面に貼り付けられていることを特徴とする、付記５に記載のフレキシブルケーブル。
【００３８】
（付記７）
前記保護フィルムは、前記フレキシブルベース材の表面の側に剥離自在に貼り付けられていることを特徴とする、付記１に記載のフレキシブルケーブル。
（付記８）
前記固定フィルムは、第１粘着剤によって前記保護フィルムの表面に貼り付けられており、
前記保護フィルムは、前記導体の側の反対側の表面に離型処理が施されており、前記第１粘着剤よりも低い粘着力の第２粘着剤によって前記フレキシブルベース材の表面の側に貼り付けられていることを特徴とする、付記７に記載のフレキシブルケーブル。
【００３９】
（付記９）
前記固定フィルムは、前記フレキシブルベース材の裏面の側まで延びており、前記フレキシブルベース材の裏面の側に剥離自在に貼り付けられていることを特徴とする、付記１に記載のフレキシブルケーブル。
（付記１０）
前記保護フィルムは、前記導体の側の反対側の表面に離型処理が施されており、
前記フレキシブルベース材の裏面の側に離型処理が施されており、
前記固定フィルムは、粘着剤によって前記保護フィルムの表面及び前記フレキシブルベース材の裏面の側に貼り付けられていることを特徴とする、付記９に記載のフレキシブルケーブル。
【００４０】
（付記１１）
前記フレキシブルベース材の端部の裏面に設けられた補強板を備え、
前記固定フィルムは、前記フレキシブルベース材の裏面の側まで延びており、前記補強板の表面に剥離自在に貼り付けられていることを特徴とする、付記１に記載のフレキシブルケーブル。
【００４１】
（付記１２）
前記保護フィルムは、前記導体の側の反対側の表面に離型処理が施されており、
前記補強板の表面に離型処理が施されており、
前記固定フィルムは、粘着剤によって前記保護フィルムの表面及び前記補強板の表面に貼り付けられていることを特徴とする、付記１１に記載のフレキシブルケーブル。
【００４２】
（付記１３）
付記１〜１２のいずれか１項に記載のフレキシブルケーブルをコネクタに接続する方法であって、
前記保護フィルム及び前記固定フィルムを起こし、
起こされた前記保護フィルム及び前記固定フィルムをつまみとして用いて、露出した前記導体の端部を前記コネクタに挿入して、前記フレキシブルケーブルを前記コネクタに接続し、
前記固定フィルムから前記保護フィルムを剥離し、
前記固定フィルムを前記コネクタに貼り付けて、前記フレキシブルケーブルを前記コネクタに固定することを特徴とするフレキシブルケーブルの接続方法。
【符号の説明】
【００４３】
１  フレキシブルケーブル
２  フレキシブルベース材
３  導体
３Ａ  導体の端部（接点；端子）
４  カバー層
５  補強板
５Ａ  補強板の表面
６  保護フィルム
６Ａ  保護フィルムの導体の側の反対側の表面
７  固定フィルム
５０  一のプリント配線板
５１  他のプリント配線板
５０Ａ，５１Ａ  コネクタ
【図１】
2015082422.tif 000003
【図２】
2015082422.tif 000004
【図３】
2015082422.tif 000005
【図４】
2015082422.tif 000006
【図５】
2015082422.tif 000007
【図６】
2015082422.tif 000008
【図７】
2015082422.tif 000009
【図８】
2015082422.tif 000010
【図９】
2015082422.tif 000011
【図１０】
2015082422.tif 000012